(57)【特許請求の範囲】
【請求項１】
周面に切抜き刃(23)を具えたカットローラ(２)と該ローラに対向配備した受けローラ(３)との間にシート(９)を通過させて該シートに切抜きを施す切抜きローラ装置において、カットローラ(２)と受けローラ(３)の何れか一方のローラを基台(10)上の定位置に配備し、基台(10)上の取付け枠体(１)に揺動可能に配備したレバー(４)の自由端に他方のローラを取り付け、取付け枠体(１)に引っ張りボルト(51)と押しボルト(６)を隣接して上向きに貫通させ、引っ張りボルト(51)をバネ(５)で引き上げ方向に付勢してレバー(４)上のローラを相手ローラから離間させる方向に付勢すると共に、付勢されたローラを取付け枠体(１)に螺合した押しボルト(６)のネジ推力で相手ローラへ移動させることにより、カットローラ(２)の切抜き刃(23)が受けローラ(３)と対向した状態で切抜き刃(23)と受けローラ(３)の隙間が０となる様に調節可能であり、切抜き刃(23)と受けローラ(３)が衝突することなくシートを(９)を切り抜きできる切抜きローラ装置。
【請求項２】
定位置にカットローラ(２)、該カットローラの上方に高さ位置調節可能に受けローラ(３)が配備されている請求項１に記載の切抜きローラ装置。
【発明の詳細な説明】
【０００１】
【発明の属する分野】
本発明は、回転するカットローラと受けローラ間にシートを通過させて該シートに所望の切抜きを施す切抜きローラ装置に関するものである。
【０００２】
【従来の技術】
コンビニエンスストア等で販売される包装三角おにぎりは、２枚のフィルム間にシート状海苔を挟み、両フィルムの外周縁を熱溶着して形成された袋状シートにて包装されている。
包装を解く際に、解き易い様に袋状シートの４隅がカットされているものがある。
【０００３】
図４は、２列で連続して袋状シート(91)(91)を形成する状態を示し、２枚の長尺帯状フィルムの間に２列で所定間隔で矩形のシート状海苔を並べ、袋状シート(91)の大きさに合わせて縦熱溶着部(92)(93)(93)と横熱溶着部(94)を施し、縦熱溶着部(92)(93)(93)と横熱溶着部(94)の交差部に切抜き部(95)(96)(96)を施している。
包装シート(９)の幅方向の中央の切抜き部(95)は、六角形を該シートの長手方向に伸ばした形状であり、左右の切抜き部(96)(96)は、中央の切抜き部(95)の１／２の形状、即ち、台形を呈している。
矢印Ａで示す様に、長尺シートを移動させながら上記作業を行い、後工程で図示しない装置で縦横に裁断して袋状シート(91)を完成する。
【０００４】
上記切抜き部(95)(96)を形成するための従来の切抜きローラ装置は、図５に示す如く、切抜き部(95)(96)に対応する形状の切抜き刃(23)を具え定位置で回転するカットローラ(２)に対して、受けローラ(３)をバネ(5a)によって下方からカットローラ(２)側に付勢して構成されている(実用新案登録第３０６７２２３号)。カットローラ(２)を強制回転させてシート(９)を両ローラ間に引っ張り込み、該シートを切抜き刃(23)によって切り抜くのである。
【０００５】
上記切抜きローラ装置は、カットローラ(２)の切抜き刃(23)の存在していない部分では、受けローラ(３)はカットローラ(２)の周面に押圧されており、切抜き刃(23)に乗り上げてシート(９)に切抜きを施す。
このため、受けローラ(３)が切抜き刃(23)に乗り上げる毎に大きな衝撃が伴い、切抜き刃(23)の最初に受けローラ(３)に衝突する先端部が早期に損傷する。
【０００６】
この損傷を少なくするために、カットローラ(２)上に切抜き刃(23)よりも少し回転側に、切抜き刃(23)の突出高さより少し低い突起(25)を設け、受けローラ(３)が切抜き刃(23)に衝突する直前に該突起(25)に当たる様にして、受けローラ(３)と切抜き刃(23)先端の衝突を緩和することが行われている。
【０００７】
【発明が解決しようとする課題】
上記突起(25)の存在により、受けローラ(３)と切抜き刃(23)の衝突は幾分緩和されるが、切抜き刃(23)の損傷防止には不十分である。更に、受けローラ(３)と突起(25)との間にシート(９)が挟まる際に、シート(９)に突起跡がついてしまい、商品価値を損なう問題のあることが分かった。
本発明は、カットローラ(２)の切抜き刃(23)と受けローラ(３)との衝突を可及的に小さくし、且つ、シートに突起跡を生じることのない切抜きローラ装置を明らかにするものである。
【０００８】
【課題を解決する手段】
本発明は、周面に切抜き刃(23)を具えたカットローラ(２)と該ローラに対向配備した受けローラ(３)との間にシート(９)を通過させて該シートに切抜きを施す切抜きローラ装置において、カットローラ(２)と受けローラ(３)の何れか一方のローラを基台(10)上の定位置に配備し、基台(10)上の取付け枠体(１)に揺動可能に配備したレバー(４)の自由端に他方のローラを取り付け、取付け枠体(１)に引っ張りボルト(51)と押しボルト(６)を隣接して上向きに貫通させ、引っ張りボルト(51)をバネ(５)で引き上げ方向に付勢してレバー(４)上のローラを相手ローラから離間させる方向に付勢すると共に、付勢されたローラを取付け枠体(１)に螺合した押しボルト(６)のネジ推力で相手ローラへ移動させることにより、カットローラ(２)の切抜き刃(23)が受けローラ(３)と対向した状態で切抜き刃(23)と受けローラ(３)の隙間が０となる様に調節可能であり、切抜き刃(23)と受けローラ(３)が衝突することなくシートを(９)を切り抜きできる。
【０００９】
【作用及び効果】
カットローラ(２)と受けローラ(３)の間隔は、カットローラ(２)の切抜き刃(23)が受けローラ(３)に当たった状態で両者の隙間が０となる様に押しボルト(６)で設定され、且つ一方のローラが相手ローラから離れる方向に付勢されているため、受けローラ(３)はカットローラ(２)の切抜き刃(23)の高さ以下でカットローラ(２)に接近することはない。従って、従来の様に受けローラ(３)が切抜き刃(23)に乗り上げる際に大きな衝撃を伴うことはなく、切抜き刃(23)の早期の損傷を防止出来る。
【００１０】
更に、従来の様に、切抜き刃(23)の回転方向前方に突起(75)を設けて受けローラ(３)が切抜き刃(23)に乗り上げる際の衝撃を緩和する場合の様に、シート(９)に突起跡が残る問題は生じない。
【００１１】
【発明の実施の形態】
実施例の切抜きローラ装置は、図４に示す従前の三角おにぎり包装シート(９)に対する切抜き部(95)(96)(96)を施すためのものである。
切抜きローラ装置の上流側には、２枚の長尺フィルム間にシート状海苔を供給する手段、長尺フィルムを熱溶着する手段(図示せず)が配備され、切抜きローラ装置の下流側にはシート(９)中央の縦熱溶着部(92)を、２点鎖線で示す様に幅方向の中央部で裁断する手段、及びシート(９)の横熱溶着部(94)を、２点鎖線で示す様に幅方向の中央部で裁断する手段(図示せず)が配備されている。
【００１２】
図１に示す切抜きローラ装置は、基台(10)に長方形の取付け枠体(１)の底板(11)を固定し、該取付け枠体(１)の両側板(12)(12)を回転自由に貫通してローラ軸(20)を配備し、該ローラ軸(20)にチェン等の回転伝達手段(26)を介してモータ(図示せず)を連繋する。
ローラ軸(20)には、前記シート(９)の縦熱溶着部(92)(93)(93)のピッチに対応して小径部(20a)(20a)(20a)が形成され、各小径部(20a)にカットローラ(２)が装着される。
【００１３】
図２に示す如く、各カットローラ(２)は、半円弧の２つの半割体(21)(21)を上記ローラ軸(20)の小径部(20a)に該軸を抱く様に嵌め、ボルト(22)にてローラ軸(20)に固定されている。
半割体(21)の周面には切抜き刃(23)が突設されている。切抜き刃(23)は包装シート(９)の縦熱溶着部(92)(93)(93)と横熱溶着部(94)の交差部に施す切抜き部(95)(96)(96)に対応する形状に形成され、内側の空間にゴム等の弾性シート(24)が隙間なく嵌め込まれている。弾性シート(24)の表面高さは切抜き刃(23)の突出高さに略一致している。
【００１４】
各カットローラ(２)の上方に、レバー(４)に支持して受けローラ(３)がカットローラ(２)と対向配備される。
レバー(４)は支持軸(40)を中心に回動可能に取付け枠体(１)に支持され、自由端に前方及び下方が開口したローラ収容空間(41)を有している。
【００１５】
実施例の受けローラ(３)は広幅のベアリングであって、レバー(４)のローラ収容空間(41)に嵌まり、取付け軸(42)によってレバー(４)に支持される。取付け軸(42)の両端は角軸部(42a)となっており、ローラ収容空間(41)の両側壁(43)(43)に開設した長方形の切欠(41a)の奥に嵌めて受けローラ(３)は着脱可能にレバー(４)に取り付けられる。
【００１６】
レバー(４)の自由端側に上向きに引っ張りボルト(51)が突設され、該引っ張りボルト(51)は取付け枠体(１)の天井板(13)を少し余裕のある状態に貫通して、バネ(５)によって上向き、即ち、受けローラ(３)をカットローラ(２)から引き離す方向に付勢される。
バネ(５)は、引っ張りボルト(51)の上部に螺合したダブルナット(52)(52)と取付け枠体(１)の天井板(13)との間で引っ張りボルト(51)に嵌まっており、ダブルナット(51)(51)の高さ位置の調整により、バネ力を調節出来る。
【００１７】
取付け枠体(１)の天井板(13)を貫通して押しボルト(６)が螺合され、該押しボルト(６)の先端はレバー(４)に当たっている。
押しボルト(６)のネジピッチは細目であって、該ボルトが１回すると１mm前進或いは後退する。押しボルト(６)にはクランプ用のナット(61)が螺合されている。
【００１８】
押しボルト(６)を締め付けてバネ(５)の引き上げ力に抗してレバー(４)の自由端をカットローラ(２)側に移動させ、カットローラ(２)の切抜き刃(23)が受けローラ(３)側に対向した状態で切抜き刃(23)と受けローラ(３)との隙間が０となる様に調節する。調節が終われば、押しボルト(６)のクランプナット(61)を締め付けて押しボルト(６)の緩みを防止する。
【００１９】
カットローラ(２)の下流側に切抜き片回収装置(７)が配備される。
切抜き片回収装置(７)は、各カットローラ(２)に接近して開口を該ローラに対向させた吸引筺(71)(71)(71)を吸引ダクト(72)に連通させたものである。
【００２０】
然して、カットローラ(２)と受けローラ(３)は、カットローラ(２)の切抜き刃(23)が受けローラ(３)に当たった状態で両者の隙間が０となる様に設定されているから、カットローラ(２)を強制回転させて該ローラと受けローラ(３)との間にシート(９)を引き込むと、シート(９)に切抜き刃(23)に対応して切抜き部(95)(96)が施される。
【００２１】
実施例では、切抜き刃(23)の内側に弾性シート(24)が嵌め込まれているため、シートの切り抜くべき部分を該弾性シート(24)で押さえることができるため、シートを切れ味がよく美しく切り抜くことが出来る。
又、切り抜いたシート片を弾性シート(24)の摩擦によって確実にカットローラ(２)の回転方向に送り出し、切抜き片回収装置(７)の吸引筺(71)へ吸引回収出来る。
【００２２】
又、受けローラ(３)はカットローラ(２)から離れる方向に常時バネ付勢されているため、受けローラ(３)はカットローラ(２)の切抜き刃(23)の高さ以下でカットローラ(２)に接近することはない。
従って、従来の様に受けローラ(３)が切抜き刃(23)に乗り上げる際に大きな衝撃を伴うことはなく、切抜き刃(23)の早期の損傷を防止出来る。
【００２３】
更に、従来の様に、切抜き刃(23)の回転方向前方に突起(75)を設けて受けローラ(３)が切抜き刃(23)に乗り上げる際の衝撃を和らげる場合の様に、シート(９)に突起跡が残る問題は生じない。
【００２４】
本発明の実施に際して、受けローラ(３)を定位置に配備し、カットローラ(２)を受けローラ(３)から離間する方向にバネ付勢し、押しボルトでカットローラ(２)上の切抜き刃(23)と受けローラ(３)の隙間を０に調節することも可能である。
又、何れの場合でも、受けローラ(３)を下方に、カットローラ(２)を上方に配備することも可能である。
【００２５】
又、一方のローラを他方のローラから離間する方向に付勢する手段は実施例のバネに限定されることはなく、エアーシリンダでも可能である。
更に、本発明は、三角おにぎり包装用シート(９)に対して切抜き部(95)を施すことに限定されるものではなく、樹脂シート、紙シート、皮シート等材質を問わず切抜き部を施すために実施でき、又、切抜き刃(23)の形状に応じてシートの切抜き部の形状を任意に決定出来るのは勿論である。
【００２６】
本発明は上記実施例の構成に限定されることはなく、特許請求の範囲に記載の範囲で種々の変形が可能である。
【図面の簡単な説明】
【図１】切抜きローラ装置の正面図である。
【図２】図１Ａ−Ａ線に沿う断面図である。
【図３】ローラ装置の要部斜面図である。
【図４】切断前の包装シートの正面図である。
【図５】従来の切抜きローラ装置の概略断面図である。
【符号の説明】
(１)  取付け枠体
(２)  カットローラ
(23)  切抜き刃
(３)  受けローラ
(４)  レバー
(５)  バネ
(６)  押しボルト
(９)  シート
(95)  切抜き部
(96)  切抜き部
【図１】
0003725798.tif 000002
【図２】
0003725798.tif 000003
【図３】
0003725798.tif 000004
【図４】
0003725798.tif 000005
【図５】
0003725798.tif 000006